(57)【特許請求の範囲】
【請求項１】
シャフト（３）の外周側に間隙（４）を介して配置されるゴム状弾性材製の筒状本体（５）を有する防振マウント（１）において、
前記筒状本体（５）の内周面に、前記シャフト（３）に接触して前記シャフト（３）に対する前記筒状本体（５）の偏心を矯正するゴム状弾性材製の突起部（１７）を設け、
前記突起部（１７）は、周方向に並べられた複数の突起（１８）よりなり、
前記各突起（１８）は、軸直角平面形状を円弧形とするとともにシャフト（３）に対向する対向面（１９）に軸方向に傾斜するテーパ（２０）を設けた形状であって、前記シャフト（３）に対して点接触するものであることを特徴とする防振マウント。
【請求項２】
シャフト（３）の外周側に間隙（４）を介して配置されるゴム状弾性材製の筒状本体（５）を有する防振マウント（１）において、
前記筒状本体（５）の内周面に、前記シャフト（３）に接触して前記シャフト（３）に対する前記筒状本体（５）の偏心を矯正するゴム状弾性材製の突起部（１７）を設け、
前記突起部（１７）は、リップ状の環状突起（２１）よりなり、
前記環状突起（２１）は、シャフト（３）に対して線接触する内側接触部分（２２）と、前記内側接触部分（２２）から延長形成されて装着時に筒状本体（５）の内周面に接触する外側接触部分（２３）とを有し、装着時に前記筒状本体（５）との間に空気溜り（２４）による空気バネ（２５）を形成するものであることを特徴とする防振マウント。
【発明の詳細な説明】
【０００１】
【発明の属する技術分野】
本発明は、防振技術に係る防振マウントに関するものである。本発明の防振マウントは例えば、冷蔵庫等に使用されるコンプレッサーユニットを支持するコンプレッサーマウントとして用いられるのに適している。
【０００２】
【従来の技術】
従来から、図６に示す防振マウント５１が知られており、以下のように構成されている。
【０００３】
すなわち先ず、ベース５２に垂直に立設したシャフト５３の外周に間隙５４を介して配置されるゴム状弾性材製の筒状本体５５が設けられており、この筒状本体５５の下端部に、上記ベース５２に着座する着座部５６が一体的に設けられるとともに、上端部に、支持体ユニット５８を係合支持する支持部５７が一体的に設けられている。シャフト５３の上端部には、当該マウント５１を上方から押さえるようにしてワッシャ５９およびナット６０が組み付けられている。
【０００４】
上記構成の防振マウント５１は、筒状本体５５の備える弾性によって、支持体ユニット５８側に発生する振動等をベース５２側に伝えないように防振機能ないし振動絶縁機能を発揮するものであるが、上記構成により、以下の不都合を有している。
【０００５】
すなわち、上記構成の防振マウント５１は、十分な防振機能を発揮するように当該マウント５１の内径部と相手側のシャフト５３とが接触しないようフリーの状態で取り付けられるものであり、このフリー状態を実現するために上記間隙５４が設定されている。
【０００６】
しかしながら、例えば冷蔵庫は搬送時にこれを傾けて運ぶために、支持体ユニット５８であるコンプレッサーユニットは重心が横方向に移動し、マウント５１はその内径部が相手シャフト５３に接触した状態で搬送され、冷蔵庫を設置箇所に設置して傾きをなくしても、マウント５１の姿勢は十分に復元されない。したがって、設置されたマウント５１は偏った状態で使用され、マウント５１の内径部が相手シャフト５３に接触した状態で使用されるために、設定どおりの防振効果を発揮することができない。
【０００７】
そこで、その対策として、図７に示すように、ゴム状弾性材製の筒状本体５５の内部にコイルバネ６１を一体成形し、このコイルバネ６１の反発力によって偏心を矯正するようにしたものが開発されているが、このように筒状本体５５の内部にコイルバネ６１を一体成形したものには、バネ定数の増大による振動特性の悪化やコイルバネ６１の利用によるコストの増大等の新たな問題が生じている。
【０００８】
【発明が解決しようとする課題】
本発明は以上の点に鑑みて、ゴム状弾性材製の筒状本体の内部にコイルバネを一体成形しなくてもシャフトに対する筒状本体の偏心を矯正することができ、もって十分な防振性能を発揮するとともに、コストを増大させることもない防振マウントを提供することを目的とする。
【０００９】
【課題を解決するための手段】
上記目的を達成するため、本発明の請求項１による防振マウントは、シャフトの外周側に間隙を介して配置されるゴム状弾性材製の筒状本体を有する防振マウントにおいて、前記筒状本体の内周面に、前記シャフトに接触して前記シャフトに対する前記筒状本体の偏心を矯正するゴム状弾性材製の突起部を設け、前記突起部は、周方向に並べられた複数の突起よりなり、前記各突起は、軸直角平面形状を円弧形とするとともにシャフトに対向する対向面に軸方向に傾斜するテーパを設けた形状であって、前記シャフトに対して点接触するものであることを特徴とするものである。
【００１０】
また、本発明の請求項２による防振マウントは、シャフトの外周側に間隙を介して配置されるゴム状弾性材製の筒状本体を有する防振マウントにおいて、前記筒状本体の内周面に、前記シャフトに接触して前記シャフトに対する前記筒状本体の偏心を矯正するゴム状弾性材製の突起部を設け、前記突起部は、リップ状の環状突起よりなり、前記環状突起は、シャフトに対して線接触する内側接触部分と、前記内側接触部分から延長形成されて装着時に筒状本体の内周面に接触する外側接触部分とを有し、装着時に前記筒状本体との間に空気溜りによる空気バネを形成するものであることを特徴とするものである。
【００１２】
上記構成を備えた本発明の防振マウントのように、ゴム状弾性材製の筒状本体の内周面に、シャフトに接触してシャフトに対する筒状本体の偏心を矯正するゴム状弾性材製の突起部が設けられると、支持体ユニットの重心移動等によって筒状本体がシャフトに対して偏心したときに、この偏心を突起部の弾性によって矯正することが可能となる。
【００１３】
また、これに加えて上記構成を備えた本発明の請求項１による防振マウントにおいては、突起部が周方向に並べられた複数の突起よりなり、各突起が軸直角平面形状を円弧形とするとともにシャフトに対向する対向面に軸方向に傾斜するテーパを設けた形状であって、シャフトに対して点接触するものであるために、この突起部のシャフトに対する接触面積が極めて小さく設定されている。したがって、マウントの内径部がシャフトに接触しないフリー状態とほぼ同等の防振性能を発揮することが可能となる。尚、本発明における点接触には、上記構成の突起部がシャフトの周面に対して所定の接触面圧をもって弾性的に接触する状態を含むものとする。
【００１４】
また、上記構成を備えた本発明の請求項２による防振マウントにおいては、突起部がリップ状の環状突起よりなり、この環状突起が、シャフトに対して線接触する内側接触部分と、この内側接触部分から延長形成されて装着時に筒状本体の内周面に接触する外側接触部分とを有し、装着時に筒状本体との間に空気溜りによる空気バネを形成するものであるために、やはりこの突起部のシャフトに対する接触面積が極めて小さく設定されている。したがって、マウントの内径部がシャフトに接触しないフリー状態とほぼ同等の防振性能を発揮することが可能となる。尚、本発明における線接触には、上記構成の突起部がシャフトの周面に対して所定の接触面圧をもって弾性的に接触する状態を含むものとする。
【００１５】
また、本件提案には、以下の技術的事項が含まれる。
【００１６】
すなわち、本件出願が提案する一の防振マウントは、冷蔵庫等に使用されるコンプレッサーユニットを所定の高さに維持するために用いられるマウントにおいて、以下に示す特徴を有するものである。
（１）相手シャフトと接触するマウント内径部に花びら状の突起を設ける。
（２）花びら状の突起部は、点接触となるように上下方向にテーパを有する。
（３）従来使用している偏重心対策用のコイルバネは廃止する。
【００１７】
そして、このように内径部に、花びら状でテーパを有する突起形状を設けたマウントは、以下の効果をもたらすものである。
（１）コイルバネの廃止による部品点数の削減に伴いコスト低減となる。
（２）相手シャフトとの接触面は点接触となり、フリー状態と同等の振動絶縁効果が期待できる。
（３）ユニットを傾けて搬入した際の偏りに対しては、突起部の反発弾性によりほぼ所定の位置に戻すことが可能となり、振動絶縁効果の大幅な悪化を抑えることができる。
【００１８】
また、本件出願が提案する他の一の防振マウントは、冷蔵庫等に使用されるコンプレッサーユニットを防振支持するために用いられるマウントにおいて、以下に示す特徴を有するものである。
（１）相手シャフトと接触するマウント内径部にオイルシールのリップ状の形状を設ける。
（２）オイルシールのリップ状の部品は、内径部にシャフトを通した場合、内径部の側壁と接触しエア溜りを形成する。
【００１９】
そして、このように内径部に、オイルシールのリップ状の部品を設けたマウントは、以下の効果をもたらすものである。
（１）相手シャフトとの接触面は線接触となり、フリー状態と同等の振動絶縁効果が期待できる。
（２）ユニットを傾けて搬入した際の偏りに対しては、側壁と接触し形成したエア溜りの反発によりほぼ所定の位置に戻すことが可能となり、振動絶縁効果の大幅な悪化を抑えることができる。
【００２０】
【発明の実施の形態】
つぎに本発明の実施例を図面にしたがって説明する。
【００２１】
第一実施例・・・
図１は、本発明の第一実施例に係る防振マウント１の装着状態の縦断面を示している。また、図２は同マウント１の平面を示しており、図３は同マウント１の荷重−変位線図を示している。
【００２２】
当該実施例に係るマウント１は、以下のように構成されている。
【００２３】
すなわち先ず、ベース２に垂直に立設したシャフト３の外周に間隙４を介して配置されるゴム状弾性材製の筒状本体５が設けられており、この筒状本体５の下端部に、上記ベース２に着座する着座部６が一体的に設けられるとともに、上端部に、支持体ユニット８を係合支持する支持部７が一体的に設けられている。シャフト３の上端部には、当該マウント１を上方から押さえるようにしてワッシャ９およびナット１０が組み付けられている。
【００２４】
筒状本体５の軸方向中央部は蛇腹状に形成されており、すなわち、その外周面および内周面に軸方向に交互に環状の凹部１１，１２が形成されている。
【００２５】
着座部６は、筒状本体５の下端にその一部として、外向き鍔状のものとして形成されており、その下面に平坦環状の着座面１３が形成されている。
【００２６】
支持部７は、筒状本体５の上端にその一部として、係合溝１４を備えたものとして形成されており、すなわち、上下一対の外向き鍔部１５，１６の間に、支持体ユニット８を係合する環状の係合溝１４が形成されている。
【００２７】
そして、筒状本体５の内周面であって支持部７の内周側に、シャフト３に接触してシャフト３に対する筒状本体５の偏心を矯正するためのゴム状弾性材製の突起部１７が一体的に設けられており、更にこの突起部１７が、周方向に並べられた複数（図では四つが等配されている）の突起１８によって形成されている。
【００２８】
各突起１８は、図２に示すように軸直角平面形状を円弧形とするとともに、シャフト３に対向する対向面１９に軸方向に傾斜するテーパ２０を設けた形状に形成されており、かつシャフト３に対して点接触するように形成されている。上記したテーパ１８の向きは、対向面１９の上端部がシャフト３に接触し、この上端部から下端部へかけてシャフト３から漸次離れる方向である。
【００２９】
上記構成の防振マウント１は、筒状本体５の備える弾性によって、支持体ユニット８側に発生する振動等をベース２側に伝えないように防振機能ないし振動絶縁機能を発揮するものであり、特に上記構成によって以下の作用効果を奏する点に特徴を有している。
【００３０】
すなわち先ず、ゴム状弾性材製の筒状本体５の内周面に、シャフト３に接触してシャフト３に対する筒状本体５の偏心を矯正するための突起部１７が設けられていて、この突起部１７が周方向に並べられた複数の突起１８よりなり、各突起１８が軸直角平面形状を円弧形とするとともにシャフト３に対向する対向面１９に軸方向に傾斜するテーパ２０を設けた形状であってかつシャフト３に対して点接触するように形成されているために、支持体ユニット９の重心移動等によって筒状本体５がシャフト３に対して偏心すると、この偏心を突起部１７の反発弾性によって矯正することが可能である。したがって、当該マウント１が偏心によりシャフト３に接触したままとなって防振性能が低下するのを防止することができる。
【００３１】
また、当該マウント１においては、上記したように突起部１７が周方向に並べられた複数の突起１８よりなり、各突起１８が軸直角平面形状を円弧形とするとともにシャフト３に対向する対向面１９に軸方向に傾斜するテーパ２０を設けた形状であってかつシャフト３に対して点接触するように形成されているために、この突起部１７のシャフト３に対する接触面積が極めて小さく設定されている。したがって、マウント１の内径部がシャフト３に接触しないフリーな状態とほぼ同等の防振性能を発揮することが可能である。
【００３２】
また、当該マウント１においては併せて、上記図７に示した従来技術のようにゴム状弾性材製の筒状本体５の内部にコイルバネを一体成形するものではないために、コイルバネによるバネ定数の増大によって振動特性が悪化するのを未然に防止することができ、また、コイルバネの利用によってコストが増大するのを抑えることができる。
【００３３】
第二実施例・・・
図４は、本発明の第二実施例に係る防振マウント１の装着状態の縦断面を示している。また、図５は同マウント１の装着前の縦断面を示している。
【００３４】
当該実施例に係るマウント１は、以下のように構成されている。
【００３５】
すなわち先ず、ベース２に垂直に立設したシャフト３の外周に間隙４を介して配置されるゴム状弾性材製の筒状本体５が設けられており、この筒状本体５の下端部に、上記ベース２に着座する着座部６が一体的に設けられるとともに、上端部に、支持体ユニット８を係合支持する支持部７が一体的に設けられている。シャフト３の上端部には、当該マウント１を上方から押さえるようにしてワッシャ９およびナット１０が組み付けられている。
【００３６】
筒状本体５の軸方向中央部は蛇腹状に形成されており、すなわち、その外周面および内周面に軸方向に交互に環状の凹部１１，１２が形成されている。
【００３７】
着座部６は、筒状本体５の下端にその一部として、外向き鍔状のものとして形成されており、その下面に平坦環状の着座面１３が形成されている。
【００３８】
支持部７は、筒状本体５の上端にその一部として、係合溝１４を備えたものとして形成されており、すなわち、上下一対の外向き鍔部１５，１６の間に、支持体ユニット８を係合する環状の係合溝１４が形成されている。
【００３９】
そして、筒状本体５の内周面であって支持部７の内周側に、シャフト３に接触してシャフト３に対する筒状本体５の偏心を矯正するためのゴム状弾性材製の突起部１７が設けられており、更にこの突起部１７がリップ状の環状突起２１によって形成されている。
【００４０】
このリップ状の環状突起２１は、シャフト３に対して線接触する環状の内側接触部分２２と、この内側接触部分２２から延長形成されて装着時に筒状本体５の内周面に接触する環状の外側接触部分２３とを有していて、断面鉤形ないし断面ほぼ「く」字形に形成されており、かつ装着時に筒状本体５との間に環状の空気溜り２４による環状の空気バネ２５を形成するように形成されている。上記した延長形成の向きは、当該マウント１をシャフト３の外周に上方から差し込み易いように、上向きとされている。外側接触部分２３は、装着前は、筒状本体５の内周面に対して非接触とされている。
【００４１】
上記構成の防振マウント１は、筒状本体５の備える弾性によって、支持体ユニット８側に発生する振動等をベース２側に伝えないように防振機能ないし振動絶縁機能を発揮するものであり、特に上記構成によって以下の作用効果を奏する点に特徴を有している。
【００４２】
すなわち先ず、ゴム状弾性材製の筒状本体５の内周面に、シャフト３に接触してシャフト３に対する筒状本体５の偏心を矯正するための突起部１７が設けられていて、この突起部１７がリップ状の環状突起２１よりなり、この環状突起２１が、シャフト３に対して線接触する環状の内側接触部分２２と、この内側接触部分２２から延長形成されて装着時に筒状本体５の内周面に接触する環状の外側接触部分２３とを有して断面鉤形ないしほぼ「く」字形に形成され、かつ装着時に筒状本体５との間に環状の空気溜り２４による環状の空気バネ２５を形成するように形成されているために、支持体ユニット９の重心移動等によって筒状本体５がシャフト３に対して偏心すると、この偏心を突起部１７の反発弾性および空気バネ２５の反発弾性によって矯正することが可能である。したがって、当該マウント１が偏心によりシャフト３に接触したままとなって防振性能が低下するのを防止することができる。
【００４３】
また、当該マウント１においては、上記したように突起部１７がリップ状の環状突起２１よりなり、この環状突起２１が、シャフト３に対して線接触する環状の内側接触部分２２と、この内側接触部分２２から延長形成されて装着時に筒状本体５の内周面に接触する環状の外側接触部分２３とを有して断面鉤形ないしほぼ「く」字形に形成され、かつ装着時に筒状本体５との間に環状の空気溜り２４による環状の空気バネ２５を形成するように形成されているために、この突起部１７のシャフト３に対する接触面積が極めて小さく設定されている。したがってマウント１の内径部がシャフト３に接触しないフリーな状態とほぼ同等の防振性能を発揮することが可能である。
【００４４】
また、当該マウント１においては併せて、上記図７に示した従来技術のようにゴム状弾性材製の筒状本体５の内部にコイルバネを一体成形するものではないために、コイルバネによるバネ定数の増大によって振動特性が悪化するのを未然に防止することができ、また、コイルバネの利用によってコストが増大するのを抑えることができる。
【００４５】
【発明の効果】
本発明は、以下の効果を奏する。
【００４６】
すなわち先ず、上記構成を備えた本発明の防振マウントにおいては、ゴム状弾性材製の筒状本体の内周面に、シャフトに接触してシャフトに対する筒状本体の偏心を矯正するゴム状弾性材製の突起部が設けられているために支持体ユニットの重心移動等によって筒状本体がシャフトに対して偏心したときに、この偏心を突起部の反発弾性によって矯正することが可能である。したがって、当該マウントが偏心によりシャフトに接触したままとなって防振性能が低下するのを防止することができる。
【００４７】
また、上記構成を備えた本発明の請求項１による防振マウントにおいては、ゴム状弾性材製の筒状本体の内周面に、シャフトに接触してシャフトに対する筒状本体の偏心を矯正する突起部が設けられて、この突起部が周方向に並べられた複数の突起よりなり、各突起が軸直角平面形状を円弧形とするとともにシャフトに対向する対向面に軸方向に傾斜するテーパを設けた形状であってかつシャフトに対して点接触するものであるために、支持体ユニットの重心移動等によって筒状本体がシャフトに対して偏心したときに、この偏心を突起部の反発弾性によって矯正することが可能である。したがって、当該マウントが偏心によりシャフトに接触したままとなって防振性能が低下するのを防止することができる。
【００４８】
また、この防振マウントにおいては、上記したように突起部が周方向に並べられた複数の突起よりなり、各突起が軸直角平面形状を円弧形とするとともにシャフトに対向する対向面に軸方向に傾斜するテーパを設けた形状であってかつシャフトに対して点接触するものであるために、この突起部のシャフトに対する接触面積が極めて小さく設定されている。したがって、マウントの内径部がシャフトに接触しないフリーな状態とほぼ同等の防振性能を発揮することが可能である。
【００４９】
また、この防振マウントにおいては併せて、上記従来技術のようにゴム状弾性材製の筒状本体の内部にコイルバネを一体成形するものではないために、コイルバネによるバネ定数の増大によって振動特性が悪化するのを未然に防止することができる。また、コイルバネの利用によってコストが増大するのを抑えることができる。
【００５０】
また、上記構成を備えた本発明の請求項２による防振マウントにおいては、ゴム状弾性材製の筒状本体の内周面に、シャフトに接触してシャフトに対する筒状本体の偏心を矯正する突起部が設けられて、この突起部がリップ状の環状突起よりなり、この環状突起が、シャフトに対して線接触する内側接触部分と、この内側接触部分から延長形成されて装着時に筒状本体の内周面に接触する外側接触部分とを有し、かつ装着時に筒状本体との間に空気溜りによる空気バネを形成するものであるために、支持体ユニットの重心移動等によって筒状本体がシャフトに対して偏心したときに、この偏心を突起部の反発弾性および空気バネの反発弾性によって矯正することが可能である。したがって、当該マウントが偏心によりシャフトに接触したままとなって防振性能が低下するのを防止することができる。
【００５１】
また、この防振マウントにおいては、上記したように突起部がリップ状の環状突起よりなり、この環状突起が、シャフトに対して線接触する内側接触部分と、この内側接触部分から延長形成されて装着時に筒状本体の内周面に接触する外側接触部分とを有し、かつ装着時に筒状本体との間に空気溜りによる空気バネを形成するものであるために、この突起部のシャフトに対する接触面積が極めて小さく設定されている。したがって、マウントの内径部がシャフトに接触しないフリーな状態とほぼ同等の防振性能を発揮することが可能である。
【００５２】
また、この防振マウントにおいては併せて、上記従来技術のようにゴム状弾性材製の筒状本体の内部にコイルバネを一体成形するものではないために、コイルバネによるバネ定数の増大によって振動特性が悪化するのを未然に防止することができる。また、コイルバネの利用によってコストが増大するのを抑えることができる。
【図面の簡単な説明】
【図１】本発明の第一実施例に係る防振マウントの装着状態を示す縦断面図
【図２】同防振マウントの平面図
【図３】同防振マウントの荷重および変位の関係を示すグラフ図
【図４】本発明の第二実施例に係る防振マウントの装着状態を示す縦断面図
【図５】同防振マウントの装着前の状態を示す縦断面図
【図６】従来例に係る防振マウントの装着状態を示す縦断面図
【図７】他の従来例に係る防振マウントの装着状態を示す縦断面図
【符号の説明】
１  防振マウント
２  ベース
３  シャフト
４  間隙
５  筒状本体
６  着座部
７  支持部
８  支持体ユニット
９  ワッシャ
１０  ナット
１１，１２  凹部
１３  着座面
１４  係合溝
１５，１６  外向き鍔部
１７  突起部
１８  突起
１９  対向面
２０  テーパ
２１  環状突起
２２  内側接触部分
２３  外側接触部分
２４  空気溜り
２５  空気バネ
【図１】
0004415475.tif 000002
【図２】
0004415475.tif 000003
【図３】
0004415475.tif 000004
【図４】
0004415475.tif 000005
【図５】
0004415475.tif 000006
【図６】
0004415475.tif 000007
【図７】
0004415475.tif 000008